(57)【要約】【課題】  外部から送信されるタイムコードを含む標準時刻フォーマットを有効に利用して、時刻修正のみならず、緊急情報、宣伝広告情報等の報知として、他の用途、機能の実現を可能にする。【解決手段】  腕時計は、電波塔から送信される標準タイムコードと標準タイムコード以外の他のコードとを含む標準時刻フォーマットを受信して記憶し（Ｓ１０１）、受信した標準タイムコードに従って現在時刻を修正し表示部に表示させる（Ｓ１０２）。また、標準タイムコード以外の他のコードは、標準時刻フォーマット内における空きエリアに含ませて送信されることから、この他のコードが受信されると、この他のコードに対応する文字等について被表示データテーブルがあるか否かを判断する（Ｓ１０４）。対応する文字等について被表示データテーブルにある場合には、対応付けられている文字等の被表示データを表示部に表示させる（Ｓ１０５）。【選択図】    図５
2005291851.tif 000002
【特許請求の範囲】
【請求項１】
時刻コードを含む標準時刻フォーマットのコードを外部へ送信する標準時刻送信装置において、
予め被表示データに対応付けられた前記時刻コード以外の他のコードを、前記標準時刻フォーマットのコードに含ませて送信する手段を備えることを特徴とする標準時刻送信装置。
【請求項２】
外部から送信されてきた時刻コードを含む標準時刻フォーマットのコードを受信する受信手段と、
この受信手段により受信される前記標準時刻フォーマットのコード内のうち、前記時刻コード以外の他のコードに対応付けて被表示データを記憶している記憶手段と、
前記受信手段により受信された標準時刻フォーマットのコードに含まれている前記時刻コードに従って修正された修正時刻を表示するように制御する一方で、前記他のコードに対応付けて前記記憶手段に記憶されている被表示データを読み出し、この読み出された被表示データを表示するように制御する表示制御手段と、
を備えることを特徴とする標準時刻受信装置。
【請求項３】
外部から送信されてきた時刻コードを含む標準時刻フォーマットのコードを順次受信する受信手段と、
この受信手段により受信される前記標準時刻フォーマットのコード内のうち、前記時刻コード以外の他のコードに対応付けて被表示データを複数記憶している記憶手段と、
前記受信手段により順次受信される都度、前記標準時刻フォーマットのコードに含まれている前記時刻コードに従って修正された修正時刻を表示するように制御する一方で、前記他のコードに対応付けて前記記憶手段に記憶されている被表示データを順次読み出し、この読み出された被表示データを順次表示するように制御する表示制御手段と、
を備えることを特徴とする標準時刻受信装置。
【請求項４】
外部から送信されてきた時刻コードを含む標準時刻フォーマットのコードを受信し、この受信した標準時刻フォーマットのコードを外部へ送信する電波中継装置において、
前記外部から送信されてきた前記標準時刻フォーマットのコードを順次受信する受信手段と、
前記標準時刻フォーマットのコードに付加されるべき付加データを複数組記憶している記憶手段と、
前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段と、
を備えることを特徴とする電波中継装置。
【請求項５】
請求項４記載の電波中継装置から送信されてきた前記付加データと標準時刻フォーマットのコードを受信する受信手段と、
当該機器の機器種別データを記憶した記憶手段と、
前記受信手段が受信した前記付加データと前記記憶手段に記憶されている機器種別データとが一致するか否かを判断する判断手段と、
この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段と、
を備えることを特徴とする標準時刻受信装置。
【請求項６】
前記表示制御手段は、前記判断手段により前記付加データと機器種別データとが一致しない判断された場合、前記修正時刻の表示を禁止するように制御する表示禁止制御手段を備えていることを特徴とする請求項４記載の標準時刻受信装置。
【請求項７】
前記表示制御手段は、前記判断手段により前記付加データと機器種別データとが一致しない判断された場合、不一致を示す所定のデータを表示するように制御する表示制御手段を備えていることを特徴とする請求項５記載の標準時刻受信装置。
【請求項８】
請求項４記載の電波中継装置から送信されてきた前記付加データと標準時刻フォーマットのコードを受信する受信手段と、
この受信手段により受信された標準時刻フォーマットのコード内における時刻コードに対応する時刻に従った修正時刻を表示するように制御するとともに、前記付加データに基づく表示を実行するように制御する表示制御手段と、
を備えることを特徴とする標準時刻受信装置。
【請求項９】
外部から送信されてきた時刻コードを含む標準時刻フォーマットのコードを受信する受信手段と、前記標準時刻フォーマットのコード内における前記時刻コード以外の他のコードに対応付けて被表示データを記憶している記憶手段とを備える標準時刻受信装置が有するコンピュータを、
前記受信手段により受信された標準時刻フォーマットのコード内における前記時刻コードに対応する時刻に従った修正時刻を表示するように制御する一方で、前記他のコードに対応付けて記憶されている被表示データを前記記憶手段から読み出し、この読み出された被表示データを表示するように制御する表示制御手段として機能させることを特徴とする標準時刻受信制御プログラム。
【請求項１０】
外部から送信されてきた時刻コードを含む標準時刻フォーマットのコードを順次受信する受信手段と、前記標準時刻フォーマットのコード内における前記時刻コード以外の他のコードに対応付けて被表示データを複数記憶している記憶手段とを備える標準時刻受信装置が有するコンピュータを、
前記受信手段により順次受信される都度、前記標準時刻フォーマットのコード内における前記時刻コードに対応する時刻に従った修正時刻を表示するように制御する一方で、前記他のコードに対応付けて記憶されている被表示データを前記記憶手段から順次読み出し、この読み出された被表示データを順次表示するように制御する表示制御手段として機能させることを特徴とする標準時刻受信制御プログラム。
【請求項１１】
外部から送信されてきた時刻コードを含む標準時刻フォーマットのコードを受信する受信手段と、この受信した標準時刻フォーマットのコードを外部へ送信する送信手段と、前記標準時刻フォーマットのコードに付加されるべき付加データを複数組記憶している記憶手段とを備えている電波中継装置が有するコンピュータに、
前記外部から送信されてきた前記標準時刻フォーマットのコードを前記受信手段に順次受信させる受信処理と、
前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて前記送信手段により外部へ送信させる送信処理と、
を実行させることを特徴とする電波中継制御プログラム。
【請求項１２】
請求項４記載の電波中継装置から送信されてきた前記付加データと標準時刻フォーマットのコードを受信する受信手段と、当該機器の機器種別データを記憶した記憶手段とを備える標準時刻受信装置が有するコンピュータを、
前記受信手段が受信した前記付加データと前記記憶手段に記憶されている機器種別データとが一致するか否かを判断する判断手段と、
この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段と、
して機能させることを特徴とする標準時刻受信制御プログラム。
【請求項１３】
標準時刻送信装置と標準時刻受信装置とからなる標準時刻送受信システムであって、
前記標準時刻送信装置は、
時刻コードと、予め被表示データに対応付けられた他のコードとを含む標準時刻フォーマットのコードを送信する手段を備え、
前記標準時刻受信装置は、
前記標準時刻送信装置から送信されてきた時刻コードを含む標準時刻フォーマットのコードを受信する受信手段と、
前記標準時刻フォーマットのコード内における前記時刻コード以外の他のコードに対応付けて被表示データを記憶している記憶手段と、
前記受信手段により受信された標準時刻フォーマットのコード内における前記時刻コードに対応する時刻に従った修正時刻を表示するように制御する一方で、前記他のコードに対応付けて記憶されている被表示データを前記記憶手段から読み出し、この読み出された被表示データを表示するように制御する表示制御手段と、
を備えることを特徴とする標準時刻送受信システム。
【請求項１４】
標準時刻送信装置と標準時刻受信装置とからなる標準時刻送受信システムであって、
前記標準時刻送信装置は、
時刻コードと、被表示データに対応付けられた他のコードとを含む標準時刻フォーマットのコードを送信する手段を備え、
前記標準時刻受信装置は、
前記標準時刻送信装置から送信されてきた時刻コードを含む標準時刻フォーマットのコードを順次受信する受信手段と、
前記標準時刻フォーマットのコード内における前記時刻コード以外の他のコードに対応付けて被表示データを複数記憶している記憶手段と、
前記受信手段により順次受信される都度、前記標準時刻フォーマットのコード内における前記時刻コードに対応する時刻に従った修正時刻を表示するように制御する一方で、前記他のコードに対応付けて記憶されている被表示データを前記記憶手段から順次読み出し、この読み出された被表示データを順次表示するように制御する表示制御手段と、
を備えることを特徴とする標準時刻送受信システム。
【請求項１５】
電波中継装置と標準時刻受信装置とからなる標準時刻中継システムであって、
前記電波中継装置は、
外部から送信されてきた時刻コードを含む標準時刻フォーマットのコードを順次受信する受信手段と、
前記標準時刻フォーマットのコードに付加されるべき付加データを複数組記憶している記憶手段と、
前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段とを備え、
前記標準時刻受信装置は、
前記電波中継装置の送信手段から送信されてきた前記付加データと標準時刻フォーマットのコードを受信する受信手段と、
当該機器の機器種別データを記憶した記憶手段と、
前記受信手段が受信した前記付加データと前記記憶手段に記憶されている機器種別データとが一致するか否かを判断する判断手段と、
この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段と、
を備えることを特徴とする標準時刻中継システム。
【請求項１６】
電波中継装置と標準時刻受信装置とからなる標準時刻中継システムであって、
前記電波中継装置は、
外部から送信されてきた時刻コードを含む標準時刻フォーマットのコードを順次受信する受信手段と、
前記標準時刻フォーマットのコードに付加されるべき付加データを複数組記憶している記憶手段と、
前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段とを備え、
前記標準時刻受信装置は、
前記電波中継装置から送信されてきた前記付加データと標準時刻フォーマットのコードを受信する受信手段と、
この受信手段により受信された標準時刻フォーマットのコード内における時刻コードに対応する時刻に従った修正時刻を表示するように制御するとともに、前記付加データに基づく表示を実行するように制御する表示制御手段と、
を備えることを特徴とする標準時刻中継システム。
【発明の詳細な説明】
【技術分野】
【０００１】
本発明は、タイムコードを含む標準電波を送信する標準時刻送信装置、これを受信する標準時刻受信装置、標準時刻受信制御プログラム及び電波中継制御プログラム、標準時刻送受信システム並びに標準時刻中継システムに関する。
【背景技術】
【０００２】
現在、各国（例えば、ドイツ、イギリス、スイス、日本等）において、時刻データを示すを示すタイムコード入りの短波または長波の標準電波が送出されている。我が国（日本）では、２つの送信所（福島県及び佐賀県）より、標準時刻のタイムコードを振幅変調した４０ｋＨｚ及び６０ｋＨｚの長波標準電波が送出されている。このタイムコードは、正確な時刻の分の桁が更新される毎即ち１分毎に、１周期６０秒のフレームで送出される。
【０００３】
近年では、このようなタイムコードを含む標準電波を受信して、これにより現在時刻データを修正する、いわゆる電波時計が実用化されている。電波時計は、所定時間毎に、内蔵しているアンテナを介して標準電波を受信し、増幅変調してタイムコードを解読することにより現在時刻を修正している。
【０００４】
この種の電波時計は、通常、室内に設置されるが、その設置場所が、例えば鉄骨住宅内や地下室などの場合は標準電波の受信が不可能となることが多い。そこで、電波時計の設置場所の制限を解消するために、標準電波を住宅内の窓の近くで受信し、この受信した標準電波のタイムコードを所定の搬送波で変調して中継電波として電波時計へ送信するための中継器が実用化されている（例えば、特許文献１参照）。
【特許文献１】特開２０００−７５０６４号公報
【発明の開示】
【発明が解決しようとする課題】
【０００５】
このように、今日においては標準時刻フォーマットのタイムコードを受信して現在用いた時刻を修正する電波時計または標準電波中継器が実用化されるに至っている。しかしながら、これらはいずれも専ら時刻修正のみを行うものであり、このため外部から送信されｔるタイムてくコードを時刻修正のみならず、他の用途にも有効に利用した装置やシステムの出現が期待されるものであった。
【０００６】
本発明は、かかる従来の課題に鑑みてなされたものであり、外部から送信されてくるタイムコードを含む標準電波を受信して、時刻修正のみならず他の用途、機能の実現をも可能にする標準時刻送信装置、標準時刻受信装置、標準時刻受信制御プログラム及び電波中継制御プログラム、標準時刻送受信システム並びに標準時刻中継システムを提供することを目的とする。
【課題を解決するための手段】
【０００７】
前記課題を解決するため請求項１記載の発明に係る標準時刻送信装置にあっては、時刻コードを含む標準時刻フォーマットのコードを外部へ送信する標準時刻送信装置（たとえば、標準電波送信所または標準電波送信基地局）において、予め被表示データに対応付けられた前記時刻コード以外の他のコードを、前記標準時刻フォーマットのコードに含ませて送信する手段を備える。
【０００８】
したがって、標準時刻送信装置から前記標準時刻フォーマットのコードを受信した受信装置（たとえば、電波時計）側においては、前記標準時刻フォーマットのコードに含まれている前記時刻コードに基づき時刻修正を行うことが可能となるのみならず、前記時刻コード以外の他のコードに基づき被表示データを表示させることが可能となる。よって、この被表示データが、たとえば緊急情報を示すデータであれば緊急情報の表示が可能となり、宣伝広告情報であれれば、宣伝広告の表示が可能なる等、標準時刻フォーマットのコードを有効に利用して、時刻修正のみならず他の用途、機能の実現が可能となる。
【０００９】
また、請求項２記載の発明に係る標準時刻受信装置にあっては、外部から送信されてきた時刻コードを含む標準時刻フォーマットのコードを受信する受信手段と、前記標準時刻フォーマットのコード内における前記時刻コード以外の他のコードに対応付けて被表示データを記憶している記憶手段と、前記受信手段により受信された標準時刻フォーマットのコード内における前記時刻コードに対応する時刻に従った修正時刻を表示するように制御する一方で、前記他のコードに対応付けて記憶されている被表示データを前記記憶手段から読み出し、この読み出された被表示データを表示するように制御する表示制御手段とを備える。
【００１０】
したがって、時刻コードを含む標準時刻フォーマットのコードを受信すると、時刻コードに対応する時刻に従った修正時刻の表示が可能となるのみならず、他のコードに対応する被表示データの表示が可能となる。よって、標準時刻フォーマットのコードを有効に利用して、時刻修正のみならず他の用途、機能の実現が可能となる。
【００１１】
また、請求項３記載の発明に係る標準時刻受信装置にあっては、外部から送信されてきた時刻コードを含む標準時刻フォーマットのコードを順次受信する受信手段と、前記標準時刻フォーマットのコード内における前記時刻コード以外の他のコードに対応付けて被表示データを複数記憶している記憶手段と、前記受信手段により順次受信される都度、前記標準時刻フォーマットのコード内における前記時刻コードに対応する時刻に従った修正時刻を表示するように制御する一方で、前記他のコードに対応付けて記憶されている被表示データを前記記憶手段から順次読み出し、この読み出された被表示データを順次表示するように制御する表示制御手段とを備える。
【００１２】
したがって、時刻コードを含む標準時刻フォーマットのコードを受信する都度、時刻コードに対応する時刻に従った修正時刻の表示が可能となるのみならず、他のコードに対応する被表示データを順次表示することが可能となる。よって、標準時刻フォーマットのコードを有効に利用して、時刻修正のみならず他の用途、機能の実現が可能となる。
【００１３】
また、請求項４記載の発明に係る電波中継装置にあっては、外部から送信されてきた時刻コードを含む標準時刻フォーマットのコードを受信し、この受信した標準時刻フォーマットのコードを外部へ送信する電波中継装置において、前記外部から送信されてきた前記標準時刻フォーマットのコードを順次受信する受信手段と、前記標準時刻フォーマットのコードに付加されるべき付加データを複数組記憶している記憶手段と、前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段とを備える。  したがって、時刻コードを含む標準時刻フォーマットのコードを受信する都度、順次受信された標準時刻フォーマットのコードと付加データとが併せて外部へ送信される。これにより、受信装置がこれを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能となる。
【００１４】
また、請求項５記載の発明に係る標準時刻受信装置にあっては、請求項４記載の電波中継装置から送信されてきた前記付加データと標準時刻フォーマットのコードを受信する受信手段と、当該機器の機器種別データを記憶した記憶手段と、前記受信手段が受信した前記付加データと前記記憶手段に記憶されている機器種別データとが一致するか否かを判断する判断手段と、この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段とを備える。したがって、特定機種の標準時刻受信装置のみが中継装置から送信される標準時刻フォーマットのコードで時刻修正や修正時刻表示を行うことが可能となるシステムを確立することができ、標準時刻フォーマットのコードを有効に利用して、時刻修正のみならず他の用途、機能の実現が可能となる。
【００１５】
また、請求項６記載の発明に係る標準時刻受信装置にあっては、前記表示制御手段は、前記判断手段により前記付加データと機器種別データとが一致しない判断された場合、前記修正時刻の表示を禁止するように制御する。したがって、特定機種の標準時刻受信装置のみが中継装置から送信される標準時刻フォーマットのコードで時刻修正や修正時刻表示を行うことが可能となるシステムを精度よく確立することができる。
【００１６】
また、請求項７記載の発明に係る標準時刻受信装置にあっては、前記表示制御手段は、前記判断手段により前記付加データと機器種別データとが一致しない判断された場合、不一致を示す所定のデータを表示するように制御する。したがって、当該機種では中継装置からの標準時刻フォーマットのコードを受信し得ないことをユーザに知らしめることができる。
【００１７】
また、請求項８記載の発明に係る標準時刻受信装置にあっては、請求項４記載の電波中継装置から送信されてきた前記付加データと標準時刻フォーマットのコードを受信する受信手段と、この受信手段により受信された標準時刻フォーマットのコード内における時刻コードに対応する時刻に従った修正時刻を表示するように制御するとともに、前記付加データに基づく表示を実行するように制御する表示制御手段とを備える。
【００１８】
したがって、電波中継装置から送信されてきた時刻コードを含む標準時刻フォーマットのコードを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能となる。
【００１９】
また、請求項９記載の発明に係る標準時刻受信制御プログラムにあっては、外部から送信されてきた時刻コードを含む標準時刻フォーマットのコードを受信する受信手段と、前記標準時刻フォーマットのコード内における前記時刻コード以外の他のコードに対応付けて被表示データを記憶している記憶手段とを備える標準時刻受信装置が有するコンピュータを、前記受信手段により受信された標準時刻フォーマットのコード内における前記時刻コードに対応する時刻に従った修正時刻を表示するように制御する一方で、前記他のコードに対応付けて記憶されている被表示データを前記記憶手段から読み出し、この読み出された被表示データを表示するように制御する表示制御手段として機能させる。したがって、前記コンピュータがこのプログラムに従って処理を実行することにより、請求項２記載の発明と同様の作用効果を奏する。
【００２０】
また、請求項１０記載の発明に係る標準時刻受信制御プログラムにあっては、外部から送信されてきた時刻コードを含む標準時刻フォーマットのコードを順次受信する受信手段と、前記標準時刻フォーマットのコード内における前記時刻コード以外の他のコードに対応付けて被表示データを複数記憶している記憶手段とを備える標準時刻受信装置が有するコンピュータを、前記受信手段により順次受信される都度、前記標準時刻フォーマットのコード内における前記時刻コードに対応する時刻に従った修正時刻を表示するように制御する一方で、前記他のコードに対応付けて記憶されている被表示データを前記記憶手段から順次読み出し、この読み出された被表示データを順次表示するように制御する表示制御手段として機能させる。したがって、前記コンピュータがこのプログラムに従って処理を実行することにより、請求項３記載の発明と同様の作用効果を奏する。
【００２１】
また、請求項１１記載の発明に係る電波中継制御プログラムにあっては、外部から送信されてきた時刻コードを含む標準時刻フォーマットのコードを受信する受信手段と、この受信した標準時刻フォーマットのコードを外部へ送信する送信手段と、前記標準時刻フォーマットのコードに付加されるべき付加データを複数組記憶している記憶手段とを粗なる電波中継装置が有するコンピュータに、前記外部から送信されてきた前記標準時刻フォーマットのコードを前記受信手段に順次受信させる受信処理と、前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて前記送信手段により外部へ送信させる送信処理とを実行させる。したがって、前記コンピュータがこのプログラムに従って処理を実行することにより、請求項４記載の発明と同様の作用効果を奏する。
【００２２】
また、請求項１２記載の発明に係る標準時刻受信制御プログラムにあっては、請求項４記載の電波中継装置から送信されてきた前記付加データと標準時刻フォーマットのコードを受信する受信手段と、当該機器の機器種別データを記憶した記憶手段とを備える標準時刻受信装置が有するコンピュータを、前記受信手段が受信した前記付加データと前記記憶手段に記憶されている機器種別データとが一致するか否かを判断する判断手段と、この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段として機能させる。したがって、前記コンピュータがこのプログラムに従って処理を実行することにより、請求項５記載の発明と同様の作用効果を奏する。
【００２３】
また、請求項１３記載の発明に係る標準時刻送受信システムは、標準時刻送信装置と標準時刻受信装置とからなる標準時刻送受信システムであって、前記標準時刻送信装置は、時刻コードと、予め被表示データに対応付けられた他のコードとを含む標準時刻フォーマットのコードを送信する手段を備え、前記標準時刻受信装置は、前記標準時刻送信装置から送信されてきた時刻コードを含む標準時刻フォーマットのコードを受信する受信手段と、前記標準時刻フォーマットのコード内における前記時刻コード以外の他のコードに対応付けて被表示データを記憶している記憶手段と、前記受信手段により受信された標準時刻フォーマットのコード内における前記時刻コードに対応する時刻に従った修正時刻を表示するように制御する一方で、前記他のコードに対応付けて記憶されている被表示データを前記記憶手段から読み出し、この読み出された被表示データを表示するように制御する表示制御手段とを備える。
【００２４】
したがって、標準時刻受信装置が標準時刻送信装置から送信された時刻コードを含む標準時刻フォーマットのコードを受信すると、時刻コードに対応する時刻に従った修正時刻の表示が可能となるのみならず、他のコードに対応する被表示データの表示が可能となる。よって、標準時刻フォーマットのコードを有効に利用して、時刻修正のみならず他の用途、機能の実現が可能なシステムを構築することができる。
【００２５】
また、請求項１４記載の発明に係る標準時刻送受信システムは、標準時刻送信装置と標準時刻受信装置とからなる標準時刻送受信システムであって、前記標準時刻送信装置は、時刻コードと、予め被表示データに対応付けられた他のコードとを含む標準時刻フォーマットのコードを送信する手段を備え、前記標準時刻受信装置は、前記標準時刻送信装置から送信されてきた時刻コードを含む標準時刻フォーマットのコードを順次受信する受信手段と、前記標準時刻フォーマットのコード内における前記時刻コード以外の他のコードに対応付けて被表示データを複数記憶している記憶手段と、前記受信手段により順次受信される都度、前記標準時刻フォーマットのコード内における前記時刻コードに対応する時刻に従った修正時刻を表示するように制御する一方で、前記他のコードに対応付けて記憶されている被表示データを前記記憶手段から順次読み出し、この読み出された被表示データを順次表示するように制御する表示制御手段とを備える。
【００２６】
したがって、標準時刻受信装置が標準時刻送信装置から送信された時刻コードを含む標準時刻フォーマットのコードを受信する都度、時刻コードに対応する時刻に従った修正時刻の表示が可能となるのみならず、他のコードに対応する被表示データを順次表示することが可能となる。よって、標準時刻フォーマットのコードを有効に利用して、時刻修正のみならず他の用途、機能の実現が可能なシステムを構築することができる。
【００２７】
また、請求項１５記載の発明に係る標準時刻中継システムは、電波中継装置と標準時刻受信装置とからなる標準時刻中継システムであって、前記電波中継装置は、外部から送信されてきた時刻コードを含む標準時刻フォーマットのコードを順次受信する受信手段と、前記標準時刻フォーマットのコードに付加されるべき付加データを複数組記憶している記憶手段と、前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段とを備え、前記標準時刻受信装置は、前記電波中継装置の送信手段から送信されてきた前記付加データと標準時刻フォーマットのコードを受信する受信手段と、当該機器の機器種別データを記憶した記憶手段と、前記受信手段が受信した前記付加データと前記記憶手段に記憶されている機器種別データとが一致するか否かを判断する判断手段と、この判断手段により前記付加データと機器種別データとが一致すると判断された場合、前記受信手段により受信された標準時刻フォーマットのコード内における前記時刻コードに対応する時刻に従った修正時刻を表示するように制御する表示制御手段とを備える。
【００２８】
したがって、電波中継装置からは、時刻コードを含む標準時刻フォーマットのコードを受信する都度、順次受信された標準時刻フォーマットのコードとが併せて外部へ送信される。そして、標準時刻受信装置がこれを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能なシステムを構築することができる。
【００２９】
また、請求項１６記載の発明に係る標準時刻中継システムは、電波中継装置と標準時刻受信装置とからなる標準時刻中継システムであって、前記電波中継装置は、外部から送信されてきた時刻コードを含む標準時刻フォーマットのコードを順次受信する受信手段と、前記標準時刻フォーマットのコードに付加されるべき付加データを複数組記憶している記憶手段と、前記受信手段により順次受信される都度、標準時刻フォーマットのコードに付加されるべき付加データを前記記憶手段から順次読み出し、この読み出された付加データと前記受信手段により順次受信された標準時刻フォーマットのコードとを併せて外部へ送信する送信手段とを備え、前記標準時刻受信装置は、前記電波中継装置から送信されてきた前記付加データと標準時刻フォーマットのコードを受信する受信手段と、この受信手段により受信された標準時刻フォーマットのコード内における時刻コードに対応する時刻に従った修正時刻を表示するように制御するとともに、前記付加データに基づく表示を実行するように制御する表示制御手段とを備える。
【００３０】
したがって、前記電波中継装置から送信されてきた時刻コードを含む標準時刻フォーマットのコードを標準時刻受信装置が受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能なシステムを構築することができる。
【発明の効果】
【００３１】
以上説明したように、請求項１記載の発明によれば、標準時刻フォーマットのコードを受信した受信装置側においては、時刻コードに基づき時刻修正を行うことが可能となるのみならず、他のコードに基づき被表示データを表示させることが可能となる。したがって、標準時刻フォーマットのコードを有効に利用して、時刻修正のみならず他の用途、機能の実現が可能となる。
【００３２】
また、請求項２及び９記載の発明によれば、時刻コードを含む標準時刻フォーマットのコードを受信することにより、時刻コードに対応する時刻に従った修正時刻の表示が可能となるのみならず、他のコードに対応する被表示データの表示が可能となる。よって、標準時刻フォーマットのコードを有効に利用して、時刻修正のみならず他の用途、機能の実現が可能となる。
【００３３】
また、請求項３及び１０記載の発明によれば、時刻コードを含む標準時刻フォーマットのコードを受信する都度、時刻コードに対応する時刻に従った修正時刻の表示が可能となるのみならず、他のコードに対応する被表示データを順次表示することが可能となる。よって、標準時刻フォーマットのコードを有効に利用して、時刻修正のみならず他の用途、機能の実現が可能となる。
【００３４】
また、請求項４及び１１記載の発明によれば、時刻コードを含む標準時刻フォーマットのコードを受信する都度、順次受信された標準時刻フォーマットのコードと付加データとを併せて外部へ送信することができる。したがって、受信装置がこれを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能となる。
【００３５】
また、請求項５及び１２記載の発明によれば、特定機種の標準時刻受信装置のみが中継装置から送信される標準時刻フォーマットのコードで時刻修正や修正時刻表示を行うことが可能となるシステムを確立することができ、標準時刻フォーマットのコードを有効に利用して、時刻修正のみならず他の用途、機能の実現が可能となる。
【００３６】
また、請求項６記載の発明によれば、特定機種の標準時刻受信装置のみが中継装置から送信される標準時刻フォーマットのコードで時刻修正や修正時刻表示を行うことが可能となるシステムを精度よく確立することができる。
【００３７】
また、請求項７記載の発明によれば、当該機種では中継装置からの標準時刻フォーマットのコードを受信し得ないことをユーザに知らしめることができる。
【００３８】
また、請求項８記載の発明によれば、電波中継装置から送信されてきた時刻コードを含む標準時刻フォーマットのコードを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能となる。
【００３９】
また、請求項１３記載の発明によれば、標準時刻受信装置が標準時刻送信装置から送信された時刻コードを含む標準時刻フォーマットのコードを受信すると、時刻コードに対応する時刻に従った修正時刻の表示が可能となるのみならず、他のコードに対応する被表示データの表示が可能となる。よって、標準時刻フォーマットのコードを有効に利用して、時刻修正のみならず他の用途、機能の実現が可能なシステムを構築することができる。
【００４０】
また、請求項１４記載の発明によれば、標準時刻受信装置が標準時刻送信装置から送信された時刻コードを含む標準時刻フォーマットのコードを受信する都度、時刻コードに対応する時刻に従った修正時刻の表示が可能となるのみならず、他のコードに対応する被表示データを順次表示することが可能となる。よって、標準時刻フォーマットのコードを有効に利用して、時刻修正のみならず他の用途、機能の実現が可能なシステムを構築することができる。
【００４１】
また、請求項１５記載の発明によれば、電波中継装置からは、時刻コードを含む標準時刻フォーマットのコードを受信する都度、順次受信された標準時刻フォーマットのコードとが併せて外部へ送信される。そして、標準時刻受信装置がこれを受信することにより、前記時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能なシステムを構築することができる。
【００４２】
また、請求項１６記載の発明によれば、電波中継装置から送信されてきた時刻コードを含む標準時刻フォーマットのコードを標準時刻受信装置が受信することにより、時刻コードに基づき時刻修正を行うことが可能となるのみならず、付加データに基づき各種制御や表示が可能となる。よって、標準時刻フォーマットのコードを有効に利用して、時刻修正のみならず他の用途、機能の実現が可能なシステムを構築することができる。
【発明を実施するための最良の形態】
【００４３】
以下、本発明の一実施の形態を図に従って説明する。
（第１の実施の形態）
【００４４】
図１は、本実施の形態に係るシステム構成を示す図である。図示のように本システムは、電波塔１１を有する標準時刻送信装置としての送信所１と、この電波塔１１から送信される時刻コードであるタイムコードを含む標準時刻フォーマットの標準電波を受信し、かつ、この受信された標準電波（標準時刻フォーマットの時刻コードを含む）を外部へ送信するための標準時刻送信装置としての腕時計２とで構成される。腕時計２は、機器本体２０１とこの機器本体２０１の両端部に係着された一対のバンド部２０２、２０３とを有し、野外または住宅４等の内部に存在するユーザＵの腕に装着可能に構成されている。また、機器本体２０１の上面部には、時刻等を表示するための表示部２０４が設けられている。
【００４５】
図２は、送信所１から電波塔１１を介して送信される標準電波に含まれているタイムコード（標準の時刻コード）１０１の標準時刻フォーマットを示すものである。このタイムコード１０１は、分１０２、秒１０３、１月１日からの積算日１０４、パリティ１０５、予備ビット１０６、年（西暦下２桁）１０７、曜日１０８、うるう秒１０９、及び４ビットからなる空きエリア１１０で構成されている。この標準時刻フォーマットは、正確な時刻の分の桁が更新される毎、すなわち１分毎に、１周期６０秒のフレームで送出される。また、本実施の形態においては、５６秒目からの４ビットからなる空きエリア１１０が、後述する被表示データを表示させるためのコマンドコードとして利用される。
【００４６】
図３は、腕時計２の回路構成を示すブロック図である。腕時計２は、ＣＰＵ（Central Processing Unit）２０５と、ＲＯＭ（Read Only Memory）２０６と、ＲＡＭ（Random Access Memory）２０７と、入力部２０８と、前記表示部２０４と、受信制御部２０９と、タイムコード生成部２１０と、計時回路部２１１と、発振回路部２１２と、ソーラ２１５とを備えて構成される。また、発振回路部２１２を除く各部はバスＢによって接続され、発振回路部２１２は計時回路部２１１に接続されている。
【００４７】
ＣＰＵ２０５は、所定のタイミングあるいは入力部２０８から入力された操作信号に応じてＲＯＭ２０６に格納されたプログラムを読み出してＲＡＭ２０７に展開し、該プログラムに基づいて腕時計２を構成する各部への指示やデータの転送等を行う。特に、ＣＰＵ２０５は、例えば所定時間毎に、受信制御部２０９を制御して標準電波の受信処理を実行し、タイムコード生成部２１０から入力された標準タイムコードに基づいて計時回路部２１１で計数される現在時刻データを修正する。また、計時回路部２１１による計時に基づいて、指定された時刻からの経過時間を計時（カウント）するタイマー処理等の各種制御を行う。
【００４８】
ＲＯＭ２０６は、腕時計２にかかるシステムプログラムやアプリケーションプログラム、本実施の形態を実現するためのプログラムやデータ等を記憶する。なお、これらのプログラムの詳細については、後述する。
【００４９】
ＲＡＭ２０７は、ＣＰＵ２０５の制御の下、ＣＰＵ２０５で処理されたデータを記憶するとともに、記憶しているデータをＣＰＵ２０５に出力するために用いられる。
【００５０】
入力部２０８は、腕時計２の各種機能を実行させるためのスイッチ等で構成され、これらのスイッチが操作された場合には対応する操作信号をＣＰＵ２０５に出力する。
【００５１】
表示部２０４は、小型液晶ディスプレイ等で構成され、ＣＰＵ２０５から入力される表示信号に基づいて現在時刻し、かつ後述する被表示データ等を表示する。
【００５２】
受信制御部２０９は、電波受信装置２１６を備える。電波受信装置２１６は、受信部２１７で受信した標準電波の不要な周波数成分をカットして該当する周波数信号を取り出し、この周波数信号を対応した電気信号に変換した信号をタイムコード生成部２１０へ出力する。
【００５３】
タイムコード生成部２１０は、電波受信装置２１６から入力された電気信号をデジタル信号に変換し、標準時刻コードや積算コード、曜日コード等の時計機能に必要なデータを含む標準タイムコードを生成してＣＰＵ２０５に出力する。
【００５４】
計時回路部２１１は、発振回路部２１２から入力される信号を計数して現在時刻を計時し、この現在時刻のデータ（現在時刻情報）をＣＰＵ２０５に出力する。発振回路部２１２は、常時一定周波数のクロック信号を出力する回路である。ソーラ２１５は、光学センサーを内蔵するとともに受光して発電し、電力を各部に供給する。
【００５５】
図４は、前記ＲＯＭ２０６にプログラムとともに記憶されている被表示データテーブル２０６１の構成例を示す図である。この被表示データテーブル２０６１には、１〜１６のシリアルナンバーに対応して、コマンドコードＣと各コマンドコードＣに対応する被表示データＤとが記憶されている。コマンドコードＣは、Ａ１からＡ４の４ビットデータであり、被表示データＤは「災害発生」「台風接近」等の文字データ、画像Ｘ、Ｖ、Ｚ等の画像データ、あるいは記号ａ、ｂ、ｃ等の記号データ等の表示可能なデータからなる。
【００５６】
なお、前記電波塔１１からの送信を制御する前記送信所１を構成するコンピュータのＲＯＭにも、同様の構成からなる被表示データテーブル２０６１が記憶されている。
【００５７】
以上の構成に係る本実施の形態において、送信所１の電波塔１１からは、図２に示したように、タイムコード１０１を含む標準電波が１分毎に１周期６０秒のフレームで送出される。このとき、送信所１を構成するコンピュータは、腕時計２に表示させるべき情報に対応するコマンドコードＣを被表示データテーブル２０６１から選択して、空きエリア１１０の４ビットに割り当ててタイムコード１０１の送信を行う。
たとえば、腕時計２に表示させるべき情報が「関東地方」であるならば、図４に示したように「関東地方」のコマンドコードＣは「００１０」であるから、空きエリア１１０の４ビットを「００１０」としたタイムコード１０１を送信所１から送信する。またこれに続いて、１分の経過後に、腕時計２に表示させるべき情報が「台風接近」であるならば、図４に示したように「台風接近」のコマンドコードＣは「０００１」であるから、空きエリア１１０の４ビットを「０００１」としたタイムコード１０１を送信所１から送信する。
【００５８】
一方、腕時計２のＣＰＵ２０５は、ＲＯＭ２０６に格納されたプログラムに基づき図５のフローチャートに示すように処理を実行する。
すなわち、前記電波塔１１から送信される標準電波に含まれている標準タイムコード１０１を受信し、この受信した標準タイムコード１０１をＲＡＭ２０７のワークエリアに記憶する（ステップＳ１０１）。次に、受信した標準タイムコードに基づき、計時回路部２１１で計時される現在時刻を修正するとともに、この修正した後の現在時刻を表示部２０４に表示させる（ステップＳ１０２）。
【００５９】
引き続き、複数回（この例では４回）に分けて連続して受信した標準タイムコード１０１とは別に、標準タイムコード１０１以外の他の最終ビット（＝空きエリア１１０）のコードである他のコードがすべて受信されたか否かを判断する（ステップＳ１０３）。すなわち、前述のように前記他のコードであるコマンドコードＣは、タイムコード１０１を含む標準時刻フォーマット内の空きエリア１１０を利用して送信されるが、空きエリア１１０のビット数は少ない。したがって、例えば「関東地方」「台風接近」「画像Ｘ」に対応する画像、「記号a」に対応する記号等の被表示データを腕時計２にて表示させようとする場合、１回に送信するタイムコード１０１の空きエリア１１０にコマンドコードＣのすべてを含ませることはできない。よって、このように複数の被表示データを表示させようとする場合、コマンドコードＣを複数回に分けて順次タイムコード１０１の空きエリア１１０に含ませて送信する。このため、ステップＳ１０３では、複数回に分けて送信されるコマンドコードＣがすべて受信されたか否かを判断し、すべて受信されるまでステップＳ１０１からの処理を繰り返すが、送信すべきコマンドコードのデータ量が少ない場合は１回の送信であっても良い。
【００６０】
そして、複数回に分けて送信されるコマンドコードＣがすべて受信されると（ステップＳ１０３：ＹＥＳ）、記録された最終ビット（＝空きエリア１１０）に対応する文字等について、被表示データテーブル２０６１があるか否かを判断する（ステップＳ１０４）。この判断の結果、対応する文字等について被表示データテーブル２０６１がある場合には、対応付けられている文字等の被表示データとタイムコードに対応する時刻情報とを表示部２０４に表示させる（ステップＳ１０５）。
【００６１】
したがって、送信所１の電波塔１１から、例えば、４回に分けて「０００１」「００１０」「００１１」「０１１０」のコマンドコードＣが送信されてきたとすると、図６に示すように、「０００１」に対応する「関東地方」の文字、「００１０」に対応する「台風接近」文字、「００１１」に対応する「画像Ｘ」、「０１１０」に対応する「記号ａ」が現在時刻とともに表示されることとなる。よって、このように被表示データを緊急情報とすることにより緊急情報の表示が可能となり、タイムコード１０１を含む標準時刻フォーマットを有効に利用して、時刻修正のみならず、緊急通報、宣伝広告といった他の用途、機能の実現が可能となる。
【００６２】
なお、この実施の形態においては、ステップＳ１０３で複数回（たとえば、４回）に分けて連続して受信した標準タイムコード１０１を含む標準時刻フォーマットのビット構成のうち、最終ビットのコードがすべて受信されたか否かの判断を行うようにしたが、この判断ステップＳ１０３を設けることなく、Ｓ１０１、Ｓ１０２、Ｓ１０４、Ｓ１０５の処理のみを行う構成であってもよい。この場合、１分間隔で送信されるタイムコード１０１に含まれているコマンドコードＣに対応する文字等を、前回の表示を維持したまま順次表示したり、あるいは被表示データテーブル２０６１に記憶しておいたりすることで、各コマンドコードＣに対応する被表示データＤをより文字数の多いデータで構成すればよい。
【００６３】
（第２の実施の形態）
【００６４】
図７は、本発明における第２の実施の形態に係るシステム構成を示す図である。
図示のように本システムは、電波塔１１を有する標準時刻送信装置としての送信所１と、この電波塔１１から送信されるタイムコードを含む標準電波を中継する電波中継装置３と、この電波中継装置３からの電波を受信する標準時刻送信装置としての腕時計２とで構成されている。
電波中継装置３は、電波塔１１から送信される標準電波を受信可能な場所であって、標準電波を受信不可能な地域に電波を送信可能な屋外に配置されている。なお、送信所１から電波塔１１を介して送信される標準電波に含まれているタイムコード（標準タイムコード）１０１のフォーマットは図２に示した第２の実施の形態と同様であるが、本実施の形態においては空きエリア１１０の４ビットは「００００」である。
【００６５】
図８は、本実施の形態における電波中継装置３の回路構成を示すブロック図である。電波中継装置３は、ＣＰＵ（Central Processing Unit）３０５と、ＲＯＭ３０６と、ＲＡＭ３０７と、入力部３０８と、表示部３０４と、受信制御部３０９と、タイムコード生成部３１０と、計時回路３１１と、発振回路部３１２と、送信部３１３と、タイムコード記憶部３１４と、ソーラ３１５、機器種別データ記憶部３１８とを備えて構成される。また、発振回路部３１２を除く各部はバスＢによって接続され、発振回路部３１２は計時回路３１１に接続されている。
【００６６】
ＣＰＵ３０５は、所定のタイミングあるいは入力部３０８から入力された操作信号に応じてＲＯＭ３０６に格納されたプログラムを読み出してＲＡＭ３０７に展開し、該プログラムに基づいて電波中継装置３を構成する各部への指示やデータの転送等を行う。特に、ＣＰＵ３０５は、例えば所定時間毎に、受信制御部３０９を制御して標準電波の受信処理を実行し、タイムコード生成部３１０から入力された標準タイムコードに基づいて計時回路３１１で計数される現在時刻データを修正する。また、前記腕時計２に送信する標準タイムコードをタイムコード記憶部３１４に記憶させるとともに、送信部３１３を制御してタイムコード記憶部３１４に記憶されている標準タイムコードと、機器種別データ記憶部３１８に記憶されている機器種別データと併せて所定周波数（標準電波とは異なる周波数）で送信させる送信制御や、計時回路３１１による計時に基づいて、指定された時刻からの経過時間を計時（カウント）するタイマー処理等の各種制御を行う。
【００６７】
ＲＯＭ３０６は、電波中継装置３にかかるシステムプログラムやアプリケーションプログラム、本実施の形態を実現するためのプログラムやデータ等を記憶する。ＲＡＭ３０７は、ＣＰＵ３０５の制御の下、ＣＰＵ３０５で処理されたデータを記憶するとともに、記憶しているデータをＣＰＵ３０５に出力するために用いられる。
【００６８】
入力部３０８は、電波中継装置３の各種機能を実行させるためのスイッチ等で構成され、これらのスイッチが操作された場合には対応する操作信号をＣＰＵ３０５に出力する。表示部３０４は、小型液晶ディスプレイ等で構成され、ＣＰＵ３０５から入力される表示信号に基づいて現在時刻をデジタル表示等する。
【００６９】
受信制御部３０９は、電波受信装置３１６を備える。電波受信装置３１６は、受信部３１７で受信した標準電波の不要な周波数成分をカットして該当する周波数信号を取り出し、この周波数信号を対応した電気信号に変換した信号をタイムコード生成部３１０へ出力する。
【００７０】
タイムコード生成部３１０は、電波受信装置３１６から入力された電気信号をデジタル信号に変換し、標準時刻コードや積算コード、曜日コード等の時計機能に必要なデータを含む標準タイムコードを生成してＣＰＵ３０５に出力する。
【００７１】
計時回路３１１は、発振回路部３１２から入力される信号を計数して現在時刻を計時し、この現在時刻のデータ（現在時刻情報）をＣＰＵ３０５に出力する。発振回路部３１２は、常時一定周波数のクロック信号を出力する回路である
【００７２】
送信部３１３は無線送信機能を有し、タイムコード記憶部３１４に記憶されている標準タイムコード、及び機器種別データ記憶部３１８に記憶されている機器種別データを無線送信する。ソーラ３１５は、光学センサーを内蔵するとともに受光して発電し、電力を各部に供給する。
【００７３】
図９は、前記機器種別データ記憶部３１８の詳細を示す概念図である。本実施の形態においては、機器（１）の機器種別データ「ＡＢＣＤ」、機器（２）の機器種別データ「ＥＦＧＨ」、及び機器（３）の機器種別データ「ＩＪＫＬ」が記憶されている。これら機器種別データは、各機器（１）〜（３）に固有の識別データであり、例えば前記腕時計２は機器（１）に該当しその識別データは「ＡＢＣＤ」である。
【００７４】
なお、本実施の形態においては３種類機器に対応する３種類の機器種別データが予め記憶されているものとしたが、１種類の機器に対応する１種類の機器種別データを記憶させてあってもよい。
【００７５】
図１０は、本実施の形態における腕時計２の回路構成を示すブロック図である。図に示すように、腕時計２の回路構成は図３示した第１の実施の形態と同様である。但し、ＣＰＵ２０５は、例えば所定時間毎に、受信制御部２０９を制御して電波中継装置３からの電波を受信する受信処理を実行する。受信制御部２０９は、電波受信装置２１６を備え、電波受信装置２１６は、受信部２１７で受信した電波中継装置３からの所定周波数の電波の不要な周波数成分をカットして該当する周波数信号を取り出し、この周波数信号を対応した電気信号に変換した信号をタイムコード生成部２１０へ出力する。
【００７６】
また、本実施の形態においては、ＲＯＭ２０６にはプログラムとともに、図１１に示す機器種別データ２０６２が記憶されている。この機器種別データ２０６２は、前述のように当該腕時計２であることを示す固有のデータである。
【００７７】
以上の構成に係る本実施の形態において、送信所１の電波塔１１からは、図２に示したように、タイムコード１０１を含む標準時刻フォーマットの標準電波が１分毎に１周期６０秒のフレームで送出される。
【００７８】
一方、送信所１の電波塔１１から送出されたタイムコード１０１を含む標準時刻フォーマットの標準電波を中継するための電波中継装置３のＣＰＵ３０５は、ＲＯＭ３０６に格納されたプログラムに基づき図１２のフローチャートに示すように処理を実行する。
すなわち、前記電波塔１１から送信される標準電波（標準タイムコード（タイムコード１０１）等を含む）を受信し、この受信した標準電波に含まれている標準タイムコードをＲＡＭ３０７のワークエリアに記憶する（ステップＳ２０１）。次に、受信したこの標準電波（標準タイムコード）に基づき、計時回路部２１１で計時される現在時刻を修正するとともに、この修正した後の現在時刻を表示部３０４に表示させる（ステップＳ２０２）。次に、前記機器種別データ記憶部３１８に記憶されている機器種別データのいずれかを順次選択する（ステップＳ２０３）。さらに、前記標準タイムコードとステップＳ２０３で選択した機器種別データとを併せて、前記所定周数で送信部３１３から外部に送信する。
【００７９】
他方、電波中継装置３から送信された送信電波を受信するための腕時計２のＣＰＵ２０５は、ＲＯＭ２０６に格納されたプログラムに基づき図１３のフローチャートに示すように処理を実行する。
すなわち、前記電波中継装置３から送信される標準タイムコードと機器種別データとを含む送信電波を受信し、この受信した標準タイムコードをＲＡＭ２０７のワークエリアに記憶する（ステップＳ３０１）。次に、受信した機器種別データと自機の機器種別データ２０６２とを比較し、両者が一致するか否かを判断する（ステップＳ３０２）。この判断の結果、受信した機器種別データと自機の機器種別データ２０６２とが不一致であった場合には、所定の機器不一致マークやその旨を表示部２０４に表示させる（ステップＳ３０３）。
【００８０】
また、受信した機器種別データと自機の機器種別データ２０６２とが一致した場合には、標準タイムコードに基づき、計時回路部２１１で計時される現在時刻を修正するとともに、この修正した後の現在時刻を表示部２０４に表示させる（ステップＳ３０４）。
したがって、本実施の形態によれば、特定機種の標準時刻受信装置のみが電波中継装置３から中継して送信される標準タイムコードで時刻修正や修正時刻表示を行うことが可能となるシステムを確立することができる一方で、標準タイムコードを含んでいる標準時刻ファーマット内の他のデータを有効に利用して、時刻修正のみならず、他の用途、機能の実現が可能となる。
【００８１】
（第３の実施の形態）
【００８２】
本発明の第３の実施の形態におけるシステム構成は、図７に示した第２の実施の形態と同様であり、電波塔１１を有する標準時刻送信装置としての送信所１と、この電波塔１１から送信されるタイムコードを含む標準電波を中継する電波中継装置３と、この電波中継装置３からの電波を受信する標準時刻送信装置としての腕時計２とで構成される。
【００８３】
図１４は、本実施の形態における電波中継装置３の回路構成を示すブロック図である。本実施の形態に係る電波中継装置３には、第２の実施の形態において設けられた機器種別データ記憶部３１８に代わって、宣伝広告データ記憶部３２８が設けられており、これ以外の構成は図８に示した第２の実施の形態と同様である。この宣伝広告データ記憶部３２８には、図１５に例示するように、「お買い物は、新宿３丁目○○デパートで」や「お食事は池袋２丁目レストラン○○で」等の宣伝広告データが記憶されている。
【００８４】
なお、腕時計２の回路構成は、図１０に示した第２の実施の形態と同様であるが、ＲＯＭ２０６には機器種別データ２０６２が記憶されておらず、プログラムのみが記憶されている。
【００８５】
以上の構成に係る本実施の形態において、送信所１の電波塔１１からは、図２に示したように、タイムコード１０１を含む標準電波が１分毎に１周期６０秒のフレームで送出される。
【００８６】
一方、送信所１の電波塔１１から送信されたタイムコード１０１を含む標準電波を中継する電波中継装置３のＣＰＵ３０５は、ＲＯＭ３０６に格納されたプログラムに基づき図１６のフローチャートに示すように処理を実行する。
すなわち、前記電波塔１１から送信される標準電波（標準タイムコード（タイムコード１０１）を含む）を受信し、この受信した標準タイムコードをＲＡＭ３０７のワークエリアに記憶する（ステップＳ４０１）。次に、受信した標準電波（標準タイムコード）に基づき、計時回路部２１１で計時される現在時刻を修正するとともに、この修正した後の現在時刻を表示部３０４に表示させる（ステップＳ４０２）。次に、前記宣伝広告データ記憶部３２８に記憶されている宣伝広告データのいずれかを順次選択する（ステップＳ４０３）。さらに、前記標準タイムコードとステップＳ４０３で選択した宣伝広告データとを併せて、前記所定周数で送信部３１３から外部に送信する。
【００８７】
他方、前記電波中継装置３から送信される送信電波を受信する腕時計２のＣＰＵ２０５は、ＲＯＭ２０６に格納されたプログラムに基づき図１７のフローチャートに示すように処理を実行する。
すなわち、前記電波中継装置３から送信される標準タイムコードと宣伝広告データとを含む送信電波を受信し、この受信した標準タイムコードをＲＡＭ２０７のワークエリアに記憶する（ステップＳ５０１）。次に、標準タイムコードに基づき、計時回路部２１１で計時される現在時刻を修正するとともに、この修正した後の現在時刻を表示部２０４に表示させる（ステップＳ５０２）。さらに、受信した宣伝広告データに基づいて、宣伝広告を表示部２０４に表示させる（ステップＳ５０３）。
【００８８】
したがって、ステップＳ５０２及びＳ５０４での処理により、図１８に示すように、表示部２０４に修正された現在時刻が表示されるとともに、「お買い物は、新宿３丁目○○デパートで」のような宣伝広告が表示される。
よって、本実施の形態によれば、電波中継装置３から中継して送信される標準タイムコードで時刻修正や修正時刻表示を行うとともに、標準タイムコードを中継して送信するシステムを有効に利用して、宣伝広告を行うことが可能となる。
【００８９】
なお、本発明の実施の形態においては、電波中継装置として屋外に配置されるものを示したが、これに限ることなく屋内に配置されて当該家屋内の標準時刻受信装置に対する標準電波を中継するものや、腕時計型等のユーザの身体に装着される電波中継装置を用いるようにしてもよい。また、標準時刻受信装置として腕時計を示したが、これに限ることなく、据え置き型の時計や、時刻表示機能を有する各種家電に搭載されている標準時刻受信装置に適用するようにしてもよい。
【００９０】
（第４の実施の形態）
【００９１】
図１９は、本発明における第４の実施の形態に係るシステム構成を示す図である。
図示のように本システムは、電波塔１１を有する標準時刻送信装置としての送信所１と、この電波塔１１から送信されるタイムコードを含む標準電波を中継する腕時計型の電波中継装置としての腕時計２とで構成されている。
【００９２】
図２０は、本実施の形態における腕時計型の電波中継装置２の回路構成を示すブロック図である。電波中継装置２は、ＣＰＵ（Central Processing Unit）３０５、ＲＯＭ３０６、ＲＡＭ３０７、入力部３０８、表示部３０４、受信制御部３０９、タイムコード生成部３１０、計時回路３１１、発振回路部３１２、送信部３１３、タイムコード記憶部３１４、ソーラ３１５、機器種別データ記憶部３１８をそれぞれ備えて構成される。また、発振回路部３１２を除く各部はバスＢによって接続され、発振回路部３１２は計時回路３１１に接続されている。
【００９３】
ＣＰＵ３０５は、所定のタイミングあるいは入力部３０８から入力された操作信号に応じてＲＯＭ３０６に格納されたプログラムを読み出してＲＡＭ３０７に展開し、該プログラムに基づいて電波中継装置２を構成する各部への指示やデータの転送等を行う。特に、ＣＰＵ３０５は、例えば所定時間毎に、受信制御部３０９を制御して標準電波の受信処理を実行し、タイムコード生成部３１０から入力された標準タイムコードに基づいて計時回路３１１で計数される現在時刻データを修正する。また、前記腕時計２に送信する標準タイムコードをタイムコード記憶部３１４に記憶させるとともに、送信部３１３を制御してタイムコード記憶部３１４に記憶されている標準タイムコードと、機器種別データ記憶部３１８に記憶されている機器種別データと併せて所定周波数（標準電波とは異なる周波数）で送信させる送信制御や、計時回路３１１による計時に基づいて、指定された時刻からの経過時間を計時（カウント）するタイマー処理等の各種制御を行う。
【００９４】
ＲＯＭ３０６は、電波中継装置３にかかるシステムプログラムやアプリケーションプログラム、本実施の形態を実現するためのプログラムやデータ等を記憶する。ＲＡＭ３０７は、ＣＰＵ３０５の制御の下、ＣＰＵ３０５で処理されたデータを記憶するとともに、記憶しているデータをＣＰＵ３０５に出力するために用いられる。
【００９５】
入力部３０８は、電波中継装置３の各種機能を実行させるためのスイッチ等で構成され、これらのスイッチが操作された場合には対応する操作信号をＣＰＵ３０５に出力する。表示部３０４は、小型液晶ディスプレイ等で構成され、ＣＰＵ３０５から入力される表示信号に基づいて現在時刻をデジタル表示等する。
【００９６】
受信制御部３０９は、電波受信装置３１６を備える。電波受信装置３１６は、受信部３１７で受信した標準電波の不要な周波数成分をカットして該当する周波数信号を取り出し、この周波数信号を対応した電気信号に変換した信号をタイムコード生成部３１０へ出力する。
【００９７】
タイムコード生成部３１０は、電波受信装置３１６から入力された電気信号をデジタル信号に変換し、標準時刻コードや積算コード、曜日コード等の時計機能に必要なデータを含む標準タイムコードを生成してＣＰＵ３０５に出力する。
【００９８】
計時回路３１１は、発振回路部３１２から入力される信号を計数して現在時刻を計時し、この現在時刻のデータ（現在時刻情報）をＣＰＵ３０５に出力する。発振回路部３１２は、常時一定周波数のクロック信号を出力する回路である
【００９９】
送信部３１３は無線送信機能を有し、タイムコード記憶部３１４に記憶されている標準タイムコード、及び機器種別データ記憶部３１８に記憶されている機器種別データを無線送信する。ソーラ３１５は、光学センサーを内蔵するとともに受光して発電し、電力を各部に供給する。
【０１００】
図２１は、前記機器種別データ記憶部３１８の詳細を示す概念図である。本実施の形態においては、機器（１）の機器種別データ「ＡＢＣＤ」、機器（２）の機器種別データ「ＥＦＧＨ」、及び機器（３）の機器種別データ「ＩＪＫＬ」が記憶されている。これら機器種別データは、各機器（１）〜（３）に固有の識別データであり、例えば、住宅内の家電機器３は機器（１）に該当しその識別データは「ＡＢＣＤ」である。
【０１０１】
なお、本実施の形態においては３種類の機器に対応する３種類の機器種別データが予め記憶されているものとしたが、１種類の機器に対応する１種類の機器種別データを記憶させてあってもよい。
【０１０２】
図２２は、本実施の形態における住宅内の家電機器３の回路構成を示すブロック図である。図に示すように、住宅内の家電機器３の回路構成は図３示した第１の実施の形態と同様である。但し、ＣＰＵ２０５は、例えば所定時間毎に、受信制御部２０９を制御して電波中継装置３からの電波を受信する受信処理を実行する。受信制御部２０９は、電波受信装置２１６を備え、電波受信装置２１６は、受信部２１７で受信した電波中継装置３からの所定周波数の電波の不要な周波数成分をカットして該当する周波数信号を取り出し、この周波数信号を対応した電気信号に変換した信号をタイムコード生成部２１０へ出力する。
【０１０３】
また、本実施の形態においては、ＲＯＭ２０６にはプログラムとともに、図２３に示す機器種別データ２０６２が記憶されている。この機器種別データ２０６２は、前述のように当該家電機器３自身を他の家電機器と識別するための識別用の固有のデータである。
【０１０４】
以上の構成に係る本実施の形態において、送信所１の電波塔１１からは、図２に示したように、タイムコード１０１を含む標準時刻フォーマットの標準電波が１分毎に１周期６０秒のフレームで送出される。
【０１０５】
一方、送信所１の電波塔１１から送出されたタイムコード１０１を含む標準時刻フォーマットの標準電波を中継するための腕時計型の電波中継装置２内におけるＣＰＵ３０５は、ＲＯＭ３０６に格納されたプログラムに基づき図２４のフローチャートに示すように処理を実行する。
すなわち、前記電波塔１１から送信される標準電波（標準タイムコード（タイムコード１０１）等を含む）を受信し、この受信した標準電波に含まれている標準タイムコードをＲＡＭ３０７のワークエリアに記憶する（ステップＳ２０１）。次に、受信したこの標準電波（標準タイムコード）に基づき、計時回路部２１１で計時される現在時刻を修正するとともに、この修正した後の現在時刻を表示部３０４に表示させる（ステップＳ２０２）。次に、腕時計型の電波中継装置２内における前記機器種別データ記憶部３１８に記憶されている機器種別データのいずれかを順次選択する（ステップＳ２０３）。さらに、前記標準タイムコードとステップＳ２０３で選択した機器種別データとを併せて、前記所定周数で送信部３１３から外部に送信する。
【０１０６】
他方、腕時計型の電波中継装置２から送信された送信電波を受信するための住宅内における家電機器３のＣＰＵ２０５は、ＲＯＭ２０６に格納されたプログラムに基づき図２５のフローチャートに示すように処理を実行する。
すなわち、前記電波中継装置３から送信される標準タイムコードと機器種別データとを含む送信電波を受信し、この受信した標準タイムコードをＲＡＭ２０７のワークエリアに記憶する（ステップＳ３０１）。次に、受信した機器種別データと自機の機器種別データ２０６２とを比較し、両者が一致するか否かを判断する（ステップＳ３０２）。この判断の結果、受信した機器種別データと自機器の機器種別データ２０６２とが不一致であった場合には、所定の機器不一致マークやその旨を表示部２０４に表示させる（ステップＳ３０３）。
【０１０７】
また、受信した機器種別データと自機器の機器種別データ２０６２とが一致した場合には、標準タイムコードに基づき、計時回路部２１１で計時される現在時刻を修正するとともに、この修正した後の現在時刻を表示部２０４に表示させる（ステップＳ３０４）。
したがって、本実施の形態によれば、特定機種の標準時刻受信装置のみが電波中継装置２から中継して送信される標準タイムコードで時刻修正や修正時刻表示を行うことが可能となるシステムを確立することができる一方で、標準タイムコードを含んでいる標準時刻ファーマット内の他のデータである機器種別データを有効に利用して、時刻修正のみならず、他の用途、機能の実現が可能となる。
【０１０８】
（第５の実施の形態）
【０１０９】
本発明の第５の実施の形態におけるシステム構成は、図２６から図３０に示す。システムの基本構成は、図１９に示した第４の実施の形態と同様であり、電波塔１１を有する標準時刻送信装置としての送信所１と、この電波塔１１から送信されるタイムコードを含む標準電波を中継する電波中継装置２と、この電波中継装置２からの電波を受信するデパート等の内外に配置されている電子機器３とで構成される。
【０１１０】
図２６は、本実施の形態における電波中継装置２の回路構成を示すブロック図である。本実施の形態に係る電波中継装置２には、第２の実施の形態において設けられた機器種別データ記憶部３１８に代わって、宣伝広告データ記憶部３２８が設けられており、これ以外の構成は図２０に示した第４の実施の形態と同様である。この宣伝広告データ記憶部３２８には、図２７に例示するように、「お買い物は、新宿３丁目○○デパートで」や「お食事は池袋２丁目レストラン○○で」等の宣伝広告データが記憶されている。
【０１１１】
なお、デパート等の内外に配置されている電子機器３の回路構成は、図２２に示した第４の実施の形態と同様であるが、ＲＯＭ２０６には機器種別データ２０６２が記憶されておらず、プログラムのみが記憶されている。
【０１１２】
以上の構成に係る本実施の形態において、送信所１の電波塔１１からは、図２に示したように、タイムコード１０１を含む標準電波が１分毎に１周期６０秒のフレームで送出される。
【０１１３】
一方、送信所１の電波塔１１から送信されたタイムコード１０１を含む標準電波を中継する電波中継装置３のＣＰＵ３０５は、ＲＯＭ３０６に格納されたプログラムに基づき図２８のフローチャートに示すように処理を実行する。
すなわち、前記電波塔１１から送信される標準電波（標準タイムコード（タイムコード１０１）を含む）を受信し、この受信した標準タイムコードをＲＡＭ３０７のワークエリアに記憶する（ステップＳ４０１）。次に、受信した標準電波（標準タイムコード）に基づき、計時回路部２１１で計時される現在時刻を修正するとともに、この修正した後の現在時刻を表示部３０４に表示させる（ステップＳ４０２）。次に、前記宣伝広告データ記憶部３２８に記憶されている宣伝広告データのいずれかを順次選択する（ステップＳ４０３）。さらに、前記標準タイムコードとステップＳ４０３で選択した宣伝広告データとを併せて、前記所定周数で送信部３１３から外部に送信する。
【０１１４】
他方、前記電波中継装置３から送信される送信電波を受信するデパート等の内外に配置されている電子機器３におけるＣＰＵ２０５は、ＲＯＭ２０６に格納されたプログラムに基づき図２９のフローチャートに示すように処理を実行する。
すなわち、前記電波中継装置２から送信される標準タイムコードと宣伝広告データとを含む送信電波を受信し、この受信した標準タイムコードをＲＡＭ２０７のワークエリアに記憶する（ステップＳ５０１）。次に、標準タイムコードに基づき、計時回路部２１１で計時される現在時刻を修正するとともに、この修正した後の現在時刻を表示部２０４に表示させる（ステップＳ５０２）。さらに、受信した宣伝広告データに基づいて、宣伝広告を表示部２０４に表示させる（ステップＳ５０３）。
【０１１５】
したがって、ステップＳ５０２及びＳ５０４での処理により、図３０に示すように、表示部２０４に修正された現在時刻が表示されるとともに、「お買い物は、新宿３丁目○○デパートで」のような宣伝広告が表示される。
よって、本実施の形態によれば、電波中継装置２から中継して送信される標準タイムコードで時刻修正や修正時刻表示を行うとともに、標準タイムコードを中継して送信するシステムを有効に利用して、宣伝広告を行うことが可能となる。
【０１１６】
なお、本発明の実施の形態においては、ユーザの身体に装着される腕時計型等の電波中継装置を用いるようにしているが、これに限ることなく、屋内に配置されて当該家屋内の標準時刻受信装置に対する標準電波を中継するようにしてもよい。また、デパート等の内外に配置される電子機器の例を示したが、これに限ることなく、駅前、スポーツ施設などにおける電子看板、携帯電話などの各種の電子機器に広く適用するようにしてもよい。
【図面の簡単な説明】
【０１１７】
【図１】本発明の第１の実施の形態に係るシステム構成を示す図である。
【図２】電波塔から送信される標準電波に含まれているタイムコード（標準タイムコード）のフォーマットを示す図である。
【図３】第１の実施の形態における腕時計の回路構成を示すブロック図である。
【図４】同腕時計のＲＯＭに記憶されている被表示データテーブルの構成を示す図である。
【図５】同腕時計の処理手順を示すフローチャートである。
【図６】同腕時計の表示例を示す図である。
【図７】本発明の第２及び第３の実施の形態に係るシステム構成を示す図である。
【図８】同実施の形態における電波中継装置の回路構成を示すブロック図である。
【図９】同電波中継装置の機器種別データ記憶部の詳細を示す概念図である。
【図１０】本発明の第２及び第３の実施の形態における腕時計２回路構成を示すブロック図である。
【図１１】腕時計のＲＯＭに記憶されている機器種別データを示す図である。
【図１２】第２の実施の形態における電波中継装置の処理手順を示すフローチャートである。
【図１３】同実施の形態における腕時計の処理手順を示すフローチャートである。
【図１４】本発明の第３の実施の形態における電波中継装置の回路構成を示すブロック図である。
【図１５】同実施の形態に係る電波中継装置の宣伝広告データ記憶部を示す概念図である。
【図１６】同実施の形態における電波中継装置の処理手順を示すフローチャートである。
【図１７】同実施の形態における腕時計の処理手順を示すフローチャートである。
【図１８】同実施の形態における腕時計の表示例を示す図である。
【図１９】本発明の第４の実施の形態に係るシステム構成を示す図である。
【図２０】同実施の形態における腕時計型の電波中継装置の回路構成を示すブロック図である。
【図２１】同実施の形態における機器種別データ記憶部の詳細を示す概念図である。
【図２２】同実施の形態における住宅内の家電機器の回路構成を示すブロック図である。
【図２３】同実施の形態における機器種別データを示す図である。
【図２４】同実施の形態における腕時計型の電波中継装置の処理手順を示すフローチャートである。
【図２５】同実施の形態における家電機器の処理手順を示すフローチャートである。
【図２６】本発明の第５の実施の形態における電波中継装置の回路構成を示すブロック図である。
【図２７】同実施の形態における電波中継装置の宣伝広告データ記憶部を示す概念図である。
【図２８】同実施の形態における電波中継装置の処理手順を示すフローチャートである。
【図２９】同実施の形態における電子機器の処理手順を示すフローチャートである。
【図３０】同実施の形態における電子機器の表示例を示す図である。
【符号の説明】
【０１１８】
１    送信所
２    腕時計
３    電波中継装置
１１    電波塔
１０１    タイムコード
１１０    空きエリア
２０１    機器本体
２０２    バンド部
２０４    表示部
２０５    ＣＰＵ
２０６    ＲＯＭ
２０７    ＲＡＭ
２０８    入力部
２０９    受信制御部
２１０    タイムコード生成部
２１６    電波受信装置
２１７    受信部
３０４    表示部
３０５    ＣＰＵ
３０６    ＲＯＭ
３０７    ＲＡＭ
３０８    入力部
３０９    受信制御部
３１０    タイムコード生成部
３１４    タイムコード記憶部
３１６    電波受信装置
３１７    受信部
３１８    機器種別データ記憶部
３２８    宣伝広告データ記憶部
２０６１    被表示データテーブル
２０６２    機器種別データ
【図１】
2005291851.tif 000003
【図２】
2005291851.tif 000004
【図３】
2005291851.tif 000005
【図４】
2005291851.tif 000006
【図５】
2005291851.tif 000007
【図６】
2005291851.tif 000008
【図７】
2005291851.tif 000009
【図８】
2005291851.tif 000010
【図９】
2005291851.tif 000011
【図１０】
2005291851.tif 000012
【図１１】
2005291851.tif 000013
【図１２】
2005291851.tif 000014
【図１３】
2005291851.tif 000015
【図１４】
2005291851.tif 000016
【図１５】
2005291851.tif 000017
【図１６】
2005291851.tif 000018
【図１７】
2005291851.tif 000019
【図１８】
2005291851.tif 000020
【図１９】
2005291851.tif 000021
【図２０】
2005291851.tif 000022
【図２１】
2005291851.tif 000023
【図２２】
2005291851.tif 000024
【図２３】
2005291851.tif 000025
【図２４】
2005291851.tif 000026
【図２５】
2005291851.tif 000027
【図２６】
2005291851.tif 000028
【図２７】
2005291851.tif 000029
【図２８】
2005291851.tif 000030
【図２９】
2005291851.tif 000031
【図３０】
2005291851.tif 000032